(57)【特許請求の範囲】
【請求項１】
ディスク装填位置からディスク装着位置に搬送されたディスク状記録媒体が装着されるディスクテーブルと、該ディスクテーブルに装着されたディスク状記録媒体に対してレーザー光を照射してディスク状記録媒体に記録された情報信号を読み出す光学ピックアップとを備えたディスクドライブ装置であって、
ローディング用ラックを有すると共にディスク状記録媒体をディスク装填位置からディスク装着位置へ向けて搬送するためのローディングスライダーと、
スレッド用ラックを有すると共に光学ピックアップをディスクテーブルに装着されたディスク状記録媒体の半径方向へ移動するスレッドスライダーと、
ローディング用ラック及びスレッド用ラックに選択的に噛合されてローディングスライダー又はスレッドスライダーを移動する駆動ギヤと、
一端部に設けられた第１の係合部と他端部に設けられた第２の係合部とを有すると共に第１の係合部がローディングスライダーに係合されることにより回動されて第２の係合部がスレッドスライダーを押圧する切替レバーと、
モーター軸にディスクテーブルが固定されたスピンドルモーターと、
ディスク状記録媒体に情報信号の記録を行う記録ヘッドを有すると共に該記録ヘッドがディスク状記録媒体に離接する方向へ移動されるヘッド取付レバーと、
該ヘッド取付レバーを移動するためのヘッド駆動レバーと、
ローディングスライダーの移動に伴って第１の経路又は第２の経路を選択的に移動されると共に第１の経路の移動によりヘッド駆動レバーを再生用位置に保持し第２の経路の移動によりヘッド駆動レバーを記録用位置に保持するモード変換レバーと、
スピンドルモーターの回転方向に応じた方向へ回転されると共に一方へ回転されたときにモード変換レバーを上記第１の経路側に保持し他方へ回転されたときにモード変換レバーを上記第２の経路側に保持する回転体と、
スピンドルモーターのモーター軸と回転体との間に巻回され上記回転体にスピンドルモーターの駆動力を伝達する伝達ベルトと、
を備え、
ローディング用ラックに噛合された駆動ギヤの回転により移動されたローディングスライダーが第１の係合部と係合されて切替レバーが所定の方向へ回動され、該切替レバーの回動によりスレッドスライダーが第２の係合部によって押圧されたときにスレッド用ラックに駆動ギヤが噛合されてスレッドスライダーが移動されるようにされた
ことを特徴とするディスクドライブ装置。
【発明の詳細な説明】
【０００１】
【発明の属する技術分野】
本発明はディスクドライブ装置に関する。詳しくは、ディスクテーブルに装着されたディスク状記録媒体に対してレーザー光を照射してディスク状記録媒体に記録された情報信号を読み出す光学ピックアップを備えたディスクドライブ装置についての技術分野に関する。
【０００２】
【従来の技術】
ディスクテーブルに装着されたディスク状記録媒体に対して情報信号を読み出して再生することができるディスクドライブ装置があり、このようなディスクドライブ装置にあっては、対物レンズを介して照射されたレーザー光のスポットがディスク状記録媒体の記録トラックに追従するように光学ピックアップをディスク状記録媒体の半径方向へ移動させている。
【０００３】
従って、従来のディスクドライブ装置にあっては、光学ピックアップの駆動制御を重要視して、光学ピックアップを移動させるための専用のスレッドモーターを有するスレッド機構を備えていた。
【０００４】
【発明が解決しようとする課題】
ところが、上記した従来のディスクドライブ装置にあっては、光学ピックアップを移動させるための専用のスレッド機構を備えているため、ディスク状記録媒体を搬送してディスクテーブルに装着するためのローディング機構とは分離されており、その分、ディスクドライブ装置の部品点数が多く製造コストも高いという問題がある。
【０００５】
また、部品点数が多いため、各部品を配置するための大きなスペースも必要となり、ディスクドライブ装置の大型化を来たすという問題もあった。
【０００６】
さらに、ディスク状記録媒体に対する情報信号の再生動作が開始されるときには、通常、ディスク状記録媒体の内周部に記録されたＴＯＣ（Table Of Contents）情報の読み出しが行われるが、この読出動作の迅速化を図るために、再生動作の開始前に光学ピックアップをディスク状記録媒体の内周側に位置させておく必要がある。
【０００７】
従って、従来のディスクドライブ装置にあっては、光学ピックアップがディスク状記録媒体の内周側に位置されたことを検出するための検出スイッチを必要としているが、その分、部品点数が多いと共にその検出回路も必要とされていた。
【０００８】
そこで、本発明は、部品点数の削減による製造コストの低減を図ると共に当該ディスクドライブ装置の小型化を図ることを課題とする。
【０００９】
【課題を解決するための手段】
本発明ディスクドライブ装置は、上記した課題を解決するために、ディスク装填位置からディスク装着位置に搬送されたディスク状記録媒体が装着されるディスクテーブルと、該ディスクテーブルに装着されたディスク状記録媒体に対してレーザー光を照射してディスク状記録媒体に記録された情報信号を読み出す光学ピックアップとを備えたディスクドライブ装置であって、ローディング用ラックを有すると共にディスク状記録媒体をディスク装填位置からディスク装着位置へ向けて搬送するためのローディングスライダーと、スレッド用ラックを有すると共に光学ピックアップをディスクテーブルに装着されたディスク状記録媒体の半径方向へ移動するスレッドスライダーと、ローディング用ラック及びスレッド用ラックに選択的に噛合されてローディングスライダー又はスレッドスライダーを移動する駆動ギヤと、一端部に設けられた第１の係合部と他端部に設けられた第２の係合部とを有すると共に第１の係合部がローディングスライダーに係合されることにより回動されて第２の係合部がスレッドスライダーを押圧する切替レバーと、モーター軸にディスクテーブルが固定されたスピンドルモーターと、ディスク状記録媒体に情報信号の記録を行う記録ヘッドを有すると共に該記録ヘッドがディスク状記録媒体に離接する方向へ移動されるヘッド取付レバーと、該ヘッド取付レバーを移動するためのヘッド駆動レバーと、ローディングスライダーの移動に伴って第１の経路又は第２の経路を選択的に移動されると共に第１の経路の移動によりヘッド駆動レバーを再生用位置に保持し第２の経路の移動によりヘッド駆動レバーを記録用位置に保持するモード変換レバーと、スピンドルモーターの回転方向に応じた方向へ回転されると共に一方へ回転されたときにモード変換レバーを上記第１の経路側に保持し他方へ回転されたときにモード変換レバーを上記第２の経路側に保持する回転体と、 スピンドルモーターのモーター軸と回転体との間に巻回され上記回転体にスピンドルモーターの駆動力を伝達する伝達ベルトと、を備え、ローディング用ラックに噛合された駆動ギヤの回転により移動されたローディングスライダーが第１の係合部と係合されて切替レバーが所定の方向へ回動され、該切替レバーの回動によりスレッドスライダーが第２の係合部によって押圧されたときにスレッド用ラックに駆動ギヤが噛合されてスレッドスライダーが移動されるようにされたことを特徴とする。
【００１０】
従って、本発明ディスクドライブ装置にあっては、ディスク状記録媒体のローディング動作と光学ピックアップの移動動作とが同一の機構により行われる。
【００１１】
【発明の実施の形態】
以下に、本発明の実施の形態を添付図面に従って説明する。尚、以下に示した実施の形態は、本発明を直径が略６４ｍｍのディスク状記録媒体（光磁気ディスク）に対する記録及び再生を行うことのできるディスクドライブ装置に適用したものである。
【００１２】
ディスクドライブ装置１は、図示しない外筐内に所要の各部材及び各機構が配置されて成り、外筐の前面には横長の矩形状を為すディスク挿脱口が形成されている。
【００１３】
外筐の所定の位置には、各種の機能を発揮するための操作釦が配置されており、これらの各操作釦を操作することにより、例えば、再生動作、記録動作、動作の停止、音量の変更、ディスク状記録媒体の外筐からの排出（イジェクト）及び各種の編集機能等が実行されるようになっている。
【００１４】
外筐内にはメカシャーシ２が配置されている（図１参照）。メカシャーシ２の右端部側には、配置孔２ａが形成されている。メカシャーシ２の後端部には、左右に離間して支持突部２ｂ、２ｂが設けられている。
【００１５】
メカシャーシ２には、その前端側にモード切替用カム孔３が形成されている（図１及び図３参照）。モード切替用カム孔３は略Ｕ字状を為し、傾斜された待機部３ａと該待機部３ａの右端部から後方へ延びる再生用カム部３ｂと待機部３ａの左端部から後方へ延びる記録用カム部３ｃとから成る。
【００１６】
メカシャーシ２には、モード切替用カム孔３の後方に略前後方向に延びる案内孔４が形成されている（図１及び図３参照）。案内孔４は傾斜部４ａと該傾斜部４ａの後端に連続し前後方向に延びる直線部４ｂとから成る。
【００１７】
メカシャーシ２の略中央部にはスピンドルモーター５が配置され、該スピンドルモーター５のモーター軸５ａに小プーリー６が固定されている（図１及び図２参照）。モーター軸５ａは小プーリー６から上方へ突出されており、モーター軸５ａの先端部にディスクテーブル７が固定されている。従って、ディスクテーブル７はスピンドルモーター５の回転に伴って回転される。
【００１８】
メカシャーシ２には、スピンドルモーター５の側方に回転体８が支持軸９を介して回転自在に支持されている（図１及び図２参照）。回転体８は上側に位置する大プーリー１０と該大プーリー１０の下側に位置する操作板１１とから成り、両者によってクラッチ機構が構成されている。
【００１９】
スピンドルモーター５のモーター軸５ａに固定された小プーリー６と大プーリー１０との間には、回転体８にスピンドルモーター５の駆動力を伝達するための伝達ベルト１２が巻回されている。従って、モーター軸５ａに小プーリー６を介して伝達ベルト１２が巻回され、該伝達ベルト１２によってスピンドルモーター５のモーター軸５ａに所定のテンションが付与されるため、モーター軸５ａをガタつくことなく回転させることができる。
【００２０】
操作板１１は円板状を為すクラッチ板１１ａと該クラッチ板１１ａの下面から下方へ突出された操作ピン１１ｂ、１１ｂとから成り、該操作ピン１１ｂ、１１ｂはクラッチ板１１ａの回転中心を挟んで１８０°反対側の位置に設けられている。  大プーリー１０は操作板１１に対して回転可能とされており、回転体８は、操作板１１に回転に対する規制が行われない状態においては、大プーリー１０と操作板１１とが一体となって回転され、操作板１１に回転に対する規制が行われている状態においては、大プーリー１０が操作板１１に対して面接触した状態で回転される。
【００２１】
メカシャーシ２には、回転体８の後方側にモード変換レバー１３が支持されている（図１、図３及び図４参照）。
【００２２】
モード変換レバー１３は略前後方向に長く形成され、前後方向おける略中央部に上方へ突出された押圧ピン１３ａが設けられている。モード変換レバー１３の前端部には、下方へ突出されたカムピン１３ｂが設けられ、該カムピン１３ｂはメカシャーシ２のモード切替用カム孔３に摺動自在に係合されている。モード変換レバー１３の後端部には、下方へ突出された被案内ピン１３ｃが設けられ、該被案内ピン１３ｃはメカシャーシ２の案内孔４に摺動自在に係合されている。モード変換レバー１３の後端部には、上方へ突出された係合ピン１３ｄが設けられ、該係合ピン１３ｄは被案内ピン１３ｃの真上に設けられている。
【００２３】
モード変換レバー１３は、上記のように、被案内ピン１３ｃが案内孔４に摺動自在に係合されると共にカムピン１３ｂがモード切替用カム孔３に摺動自在に係合されているため、被案内ピン１３ｃを支点としてカムピン１３ｂがモード切替用カム孔３の待機部１３ａ内を移動するように回動可能とされている。
【００２４】
モード変換レバー１３の前端部は被作用部１３ｅとして設けられ、該被作用部１３ｅは、モード変換レバー１３が移動方向における前方側の移動端に位置されている状態において回転体８の下方に位置されている。従って、被作用部１３ｅは、回転体８が回転されたときに操作ピン１２ｂ、１２ｂに係合される。
【００２５】
メカシャーシ２には、スピンドルモーター５の後方にヘッドスライダー１４が前後方向へ移動自在に支持されている（図１、図３及び図５参照）。
【００２６】
ヘッドスライダー１４は前後方向に長く形成され、前端寄りの位置に下方へ突出された被作用片１４ａが設けられている。ヘッドスライダー１４の後端寄りの位置の右縁には、上方へ突出されたカム形成片１４ｂが設けられている。カム形成片１４ｂにはヘッド用カム孔１５が形成され、該ヘッド用カム孔１５は、下側水平部１５ａと、該下側水平部１５ａの前端に連続し前方へ行くに従って上方へ変位する傾斜部１５ｂと、該傾斜部１５ｂの前端に連続する上側水平部１５ｃとから成る（図５参照）。
【００２７】
ヘッドスライダー１４の前端部とメカシャーシ２に設けられた図示しないバネ支持部との間には、ヘッドスライダー１４を前方へ付勢するための引張コイルバネ１６が張設されている（図３及び図５参照）。
【００２８】
メカシャーシ２の左端部にはローディングスライダー１７が前後方向へ移動自在に支持されている（図１及び図６参照）。
【００２９】
ローディングスライダー１７は前後方向に長い主部１８と該主部１８の後端部から右方へ突出された突出部１９とが一体に形成されて成る。主部１８の前端寄りの位置には右方へ開口された係合凹部１８ａが形成され、該係合凹部１８ａの後側にローディング用ラック１８ｂが形成されている。突出部１９の前端寄りの位置には右方へ開口された係合凹溝１９ａが形成されている。突出部１９の係合凹溝１９ａの前側の部分は右方へ突出された押圧突部１９ｂとして設けられている。
【００３０】
ローディングスライダー１７には図示しないディスクホルダーが連結されており、ローディングスライダー１７の移動に伴ってディスクホルダーが前後方向へ移動される。
【００３１】
メカシャーシ２の下面側にはスレッドスライダー２０が左右方向へ移動自在に支持されている（図１及び図６参照）。スレッドスライダー２０は左右方向に長く形成され、左右方向における略中央部に前方に開口された係合凹部２０ａが形成されている。スレッドスライダー２０の係合凹部２０ａの右側の部分は前方へ突出された押圧突部２０ｂとして設けられている。スレッドスライダー２０の左端部の後縁にはスレッド用ラック２０ｃが形成されている。
【００３２】
スレッドスライダー２０には、配置孔２ａを介して図示しない光学ピックアップが取り付けられている。光学ピックアップは移動ベースと該移動ベース上に支持された２軸アクチュエーターとを有し、スレッドスライダー２０の移動に伴って左右方向、即ち、ディスクテーブル７に装着されるディスク状記録媒体の半径方向へ移動される。
【００３３】
メカシャーシ２には切替レバー２１が回動自在に支持されている（図１及び図６参照）。切替レバー２１は一方向に長く形成され、中央部が回動支点２１ａとして形成されている。切替レバー２１の長手方向における両端部には、それぞれ上方又は下方へ突出された第１の係合部２１ｂと第２の係合部２１ｃとが設けられている。第１の係合部２１ｂはローディングスライダー１７の係合凹部１８ａに係合可能とされ、第２の係合部２１ｃはスレッドスライダー２０の係合凹部２０ａに係合可能とされている。
【００３４】
メカシャーシ２の後端部における右端部には駆動モーター２２が配置され、該駆動モーター２２のモーター軸２２ａにピニオン２３が固定されている（図１参照）。ピニオン２３には３つの段付ギヤによって構成された減速ギヤ群２４が噛合されている。
【００３５】
減速ギヤ群２４には駆動ギヤ２５が噛合され、該駆動ギヤ２５は第１の送りギヤ２６と第２の送りギヤ２７とから成る（図１及び図６参照）。
【００３６】
第１の送りギヤ２６は２段ギヤであり、小径部２６ａと大径部２６ｂとから成る。小径部２６ａはスレッドスライダー２０のスレッド用ラック２０ｃと噛合可能な位置にある。
【００３７】
第２の送りギヤ２７は２段ギヤであり、第１の送りギヤ２６を介して減速ギヤ群２４と噛合されている。第２の送りギヤ２７は小径部２７ａと大径部２７ｂとから成る。小径部２７ａはローディングスライダー１７のローディング用ラック１８ｂと噛合可能な位置にある。
【００３８】
第１の送りギヤ２６の小径部２６ａがスレッドスライダー２０のスレッド用ラック２０ｃと噛合された状態において駆動モーター２２が回転されると、その駆動力がピニオンギヤ２３及び減速ギヤ群２４を介して駆動ギヤ２５に伝達され、第１の送りギヤ２６の回転によりスレッドスライダー２０が左右方向へ移動され、スレッドスライダー２０に取り付けられた光学ピックアップがディスクテーブル７に装着されるディスク状記録媒体の半径方向へ移動される。
【００３９】
メカシャーシ２に設けられた上記支持突部２ｂ、２ｂにはヘッド駆動レバー２８が回動自在に支持されている（図１及び図５参照）。
【００４０】
ヘッド駆動レバー２８は、横長の略矩形状を為す基部２８ａと、該基部２８ａの前端部から上方へ突出され側面から見て逆Ｌ字状を為す作用突部２８ｂと、基部２８ａの後端部の左右両端部からそれぞれ後方へ突出された被支持突部２８ｃ、２８ｃとから成る。
【００４１】
基部２８ａの前端部には左方へ突出されたカム係合ピン２８ｄが設けられ、該カム係合ピン２８ｄはヘッドスライダー１４のヘッド用カム孔１５に摺動自在に係合されている。
【００４２】
被支持突部２８ｃ、２８ｃにはそれぞれ側方へ突出された被支持軸２８ｅ、２８ｅが設けられ、該被支持軸２８ｅ、２８ｅはメカシャーシ２の支持突部２ｂ、２ｂに支持されている。従って、ヘッド駆動レバー２８は被支持軸２８ｅ、２８ｅを支点として作用突部２８ｂが略上下に移動する方向へメカシャーシ２に対して回動される。
【００４３】
メカシャーシ２の配置孔２ａの後側には、アーム支持部材２９が設けられている（図１及び図５参照）。アーム支持部材２９はメカシャーシ２から立設された支柱部２９ａと該支柱部２９ａの上端部から前方へ突出された支持部２９ｂとから成り、該支持部２９ｂの後端寄りの位置にヘッド取付アーム３０が回動自在に支持されている。
【００４４】
ヘッド取付アーム３０は、略前後方向に長く形成されたヘッド取付部３０ａと、該ヘッド取付部３０ａの後端部から垂設された連結部３０ｂと、該連結部３０ｂの下端部から略後方へ突出された被押さえ突部３０ｃとから成る。ヘッド取付部３０ａは、その後端寄りの部分がヘッド取付アーム３０に支持され、前端部に記録ヘッド３１が取り付けられている。被押さえ突部３０ｃはヘッド駆動レバー２８の作用突部２８ｂに上方側から押さえられている。
【００４５】
以下に、ディスクドライブ装置１の動作について説明する
先ず、ディスク状記録媒体がローディングされる前の待機モードにおける状態について説明する（図３、図５及び図６参照）。
【００４６】
モード変換レバー１３は、カムピン１３ｂがメカシャーシ２に形成されたモード切替用カム孔３の待機部３ａの左端部に係合され、被案内ピン１３ｃがメカシャーシ２に形成された案内孔４の傾斜部４ａの前端部に係合されている（図３参照）。
【００４７】
ヘッドスライダー１４は、移動範囲における前方側の移動端に位置されており、被作用片１４ａがモード変換レバー１３の押圧ピン１３ａの後方に位置されている（図３参照）。
【００４８】
ローディングスライダー１７は、移動範囲における前方側の移動端に位置されており、係合凹部１８ａは切替レバー２１の第１の係合部２１ｂの前方に位置されている（図６参照）。ローディングスライダー１７のローディング用ラック１８ｂは、その後端部が第２の送りギヤ２７の小径部２７ａと噛合されている（図６参照）。ローディングスライダー１７の係合凹溝１９ａは、モード変換レバー１３の係合ピン１３ｄの前方に位置されている（図３参照）。
【００４９】
スレッドスライダー２０は、移動範囲における左方側の移動端に位置されており、スレッド用ラック２０ｃの直ぐ右側に第１の送りギヤ２６の小径部２６ａが位置されている（図６参照）。
【００５０】
切替レバー２１は、第２の係合部２１ｃがスレッドスライダー２０の係合凹部２０ａに係合されている（図６参照）。
【００５１】
ヘッド駆動レバー２８は、カム係合ピン２８ｄがヘッドスライダー１４のヘッド用カム孔１５の下側水平部１５ａに係合されている（図５参照）。この位置がヘッド駆動レバー２８の再生用位置とされる。従って、ヘッド取付アーム３０はヘッド取付部３０ａが水平な状態とされ、記録ヘッド３１が上方側の移動端に保持されている。
【００５２】
上記した待機モードにおいて、外筐の前面に形成されたディスク挿脱口からディスク状記録媒体が挿入される。ディスク状記録媒体が挿入された位置がディスク装填位置であり、該ディスク装填位置においてディスク状記録媒体がディスクホルダーに保持されると、図示しないディスク検出スイッチによってディスク状記録媒体の挿入が検出され、スピンドルモーター５及び駆動モーター２２が回転される。
【００５３】
スピンドルモーター５は図３に示すＲ１方向へ回転され、回転体８もＲ１方向へ回転される。回転体８がＲ１方向へ回転されると、大プーリー１０と操作板１１とが一体となって回転され、一方の操作ピン１１ｂがモード変換レバー１３の被作用部１３ｅに接触される。操作ピン１１ｂの被作用部１３ｅへの接触により操作板１１の回転が規制され、大プーリー１０が操作板１１に対して面接触した状態で回転される。従って、被作用部１３ｅは操作ピン１１ｂによって右方への押圧力を受けている。
【００５４】
同時に駆動モーター２２の回転によってローディングスライダー１７が後方へ移動され（図７参照）、ディスク状記録媒体を保持したディスクホルダーが後方へ移動される。ローディングスライダー１７が後方へ移動されると、押圧突部１９ｂによってモード変換レバー１３の係合ピン１３ｄが後方へ押圧され、被案内ピン１３ｃが案内孔４の傾斜部４ａ内を直線部４ｂへ向けて移動されていく。被案内ピン１３ｃが直線部４ｂの前端部まで移動されると、係合ピン１３ｄがローディングスライダー１７の係合凹溝１９ａに係合される（図８参照）。このとき、モード変換レバー１３の被作用部１３ｅが回転体８の操作ピン１１ｂによって右方への押圧力を受けているため、カムピン１３ｂがモード切替用カム孔３の待機部３ａ内を右方へ移動される（図８参照）。
【００５５】
ローディングスライダー１７は駆動モーター２２の回転によってさらに後方へ移動され、モード変換レバー１３のカムピン１３ｂがモード切替用カム孔３の待機部３ａから再生用カム部３ｂ内を後方へ向けて移動される。カムピン１３ｂが再生用カム部３ｂ内を移動されるときのモード変換レバー１３の経路が、第１の経路とされる。モード変換レバー１３の被案内ピン１３ｃは案内孔４の直線部４ｂ内を後方へ向けて移動される。このときスピンドルモーター５の回転は停止されている。
【００５６】
ローディングスライダー１７の後方への移動により、切替レバー２１の第１の係合部２１ｂがローディングスライダー１７の係合凹部１８ａに係合される（図９参照）。切替レバー２１の第１の係合部２１ｂがローディングスライダー１７の係合凹部１８ａに係合されると、ローディングスライダー１７の後方への移動に伴って切替レバー２１が図９に示すＳ１方向へ回動され、スレッドスライダー２０の係合凹部２０ａと切替レバー２１の第２の係合部２１ｃとの係合が解除されながら該第２の係合部２１ｃによってスレッドスライダー２０の押圧突部２０ｂが右方へ押圧される。
【００５７】
スレッドスライダー２０の押圧突部２０ｂが第２の係合部２１ｃによって右方へ押圧されると、スレッドスライダー２０のスレッド用ラック２０ｃが第１の送りギヤ２６の小径部２６ａと噛合される（図９参照）。このときローディングスライダー１７の後方への移動により、ローディング用ラック１８ｂと第２の送りギヤ２７の小径部２７ａとの噛合が解除されローディングスライダー１７の後方への移動が停止される。
【００５８】
スレッドスライダー２０のスレッド用ラック２０ｃが第１の送りギヤ２６の小径部２６ａと噛合されると共にローディング用ラック１８ｂと第２の送りギヤ２７の小径部２７ａとの噛合が解除されたところで、駆動モーター２２の回転が停止される。このとき、同時にディスクホルダーに保持されたディスク状記録媒体がディスク装着位置においてディスクテーブル７に装着されローディング動作が完了し再生モードが設定される。
【００５９】
上記のように、ローディングスライダー１７が後方へ移動されモード変換レバー１３のカムピン１３ｂがモード切替用カム孔３の再生用カム部３ｂ内を後方へ向けて移動されるときには、モード変換レバー１３の押圧ピン１３ａがヘッドスライダー１４の被作用片１４ａの右側を通過される（図１０参照）。従って、被作用片１４ａは押圧ピン１３ａによって押圧されないため、ヘッドスライダー１４は移動されない。
【００６０】
駆動モーター２２が停止されローディング動作が完了した状態においては、モード変換レバー１３のカムピン１３ｂがモード切替用カム孔３の再生用カム部３ｂの後端部に係合され、モード変換レバー１３の被案内ピン１３ｃが案内孔４の直線部４ｂの後端部に係合されている（図１０参照）。
【００６１】
ローディング動作が完了すると再びスピンドルモーター５及び駆動モーター２２が回転される。
【００６２】
スピンドルモーター５の回転によりディスクテーブル７が回転され、該ディスクテーブル７の回転に伴って装着されたディスク状記録媒体が回転される。
【００６３】
駆動モーター２２の回転により第１の送りギヤ２６が回転され、該第１の送りギヤ２６の回転に伴ってスレッドスライダー２０が左右方向へ移動され（図１１参照）、光学ピックアップがディスク状記録媒体の半径方向へ移動される。光学ピックアップはディスク状記録媒体の内周側から外周側へ移動され、このとき２軸アクチュエーターの対物レンズを介してディスク状記録媒体にレーザー光が照射され、情報信号の再生が行われる。
【００６４】
次に、再生モードにおいてディスク状記録媒体に対する再生動作が終了し、記録モードに移行されるときの動作について説明する（図１２乃至図１４参照）。
【００６５】
記録釦が操作されると、駆動モーター２２がローディング動作のときとは反対方向へ回転され、ローディングスライダー１７が前方へ移動される。このときスピンドルモーター５が図１０に示すＲ２方向へ回転され、回転体８もＲ２方向へ回転される。
【００６６】
ローディングスライダー１７の前方への移動によりモード変換レバー１３が前方へ移動され、カムピン１３ｂがモード切替用カム孔３の再生用カム部３ｂから待機部３ａまで移動され、被案内ピン１３ｃが案内孔４の直線部４ｂから傾斜部４ａへ向けて移動される。モード変換レバー１３が前方へ移動されカムピン１３ｂが待機部３ａまで移動されると、Ｒ２方向へ回転されている回転体８の操作ピン１１ｂがモード変換レバー１３の被作用部１３ｅに接触される。従って、モード変換レバー１３は被作用部１３ｅが左方へ移動される方向へ回動され、カムピン１１ｂが待機部３ａの左端部まで移動される（図１２参照）。
【００６７】
カムピン１３ｂが待機部３ａの左端部まで移動されたところで駆動モーター２２が反転され、ローディングスライダー１７が後方へ向けて移動されていく。
【００６８】
ローディングスライダー１７が後方へ移動されるとモード変換レバー１３は後方へ移動され、被案内ピン１３ｃが案内孔４の直線部４ｂ内を後方へ向けて移動されていく。モード変換レバー１３のカムピン１３ｂはモード切替用カム孔３の待機部３ａから記録用カム部３ｃ内を後方へ向けて移動される。このときスピンドルモーター５の回転は停止されている。
【００６９】
ローディングスライダー１７が後方へ移動されモード変換レバー１３のカムピン１３ｂがモード切替用カム孔３の記録用カム部３ｃ内を後方へ向けて移動されるときには、モード変換レバー１３の押圧ピン１３ａによってヘッドスライダー１４の被作用片１４ａが後方へ移動されていく。従って、ヘッドスライダー１４が引張コイルバネ１６の付勢力に抗して後方へ移動され、ヘッド用カム孔１５に係合されているヘッド駆動レバー２８のカム係合ピン２８ｄが、下側水平部１５ａから傾斜部１５ｂを経て上側水平部１５ｃまで相対的に移動される（図１３参照）。カムピン１３ｂが記録用カム部３ｃ内を移動されるときのモード変換レバー１３の経路が、第２の経路とされる。
【００７０】
カム係合ピン２８ｄが上側水平部１５ｃに係合されることにより、ヘッド駆動レバー２８は被作用突部２８ｂが上方へ移動される方向へ回動され、ヘッド取付アーム３０は記録ヘッド３１が下方へ移動される方向へ回動される（図１３参照）。この位置がヘッド駆動レバー２８の記録用位置とされる。従って、記録ヘッド３１がディスクテーブル７に装着されたディスク状記録媒体に接触又は近接された状態とされる。
【００７１】
ヘッドスライダー１４が移動範囲における後方側の移動端まで移動されカム係合ピン２８ｄが上側水平部１５ｃに係合されたところで駆動モーター２２の回転が停止される。駆動モーター２２が停止された状態においては、モード変換レバー１３のカムピン１３ｂがモード切替用カム孔３の記録用カム部３ｃの後端部に係合され、モード変換レバー１３の被案内ピン１３ｃが案内孔４の直線部４ｂの後端部に係合され記録モードが設定されている（図１４参照）。
【００７２】
記録モードが設定されたときに、再生モードと同様にローディングスライダー１７が移動範囲における後方側の移動端まで移動されているため、スレッドスライダー２０のスレッド用ラック２０ｃが第１の送りギヤ２６の小径部２６ａと噛合されると共にローディング用ラック１８ｂと第２の送りギヤ２７の小径部２７ａとの噛合が解除されており、駆動モーター２２の回転によりスレッドスライダー２０に連結された光学ピックアップがディスク状記録媒体の半径方向へ移動可能な状態とされている。
【００７３】
記録モードが設定されると、再びスピンドルモーター５及び駆動モーター２２が回転される。
【００７４】
スピンドルモーター５の回転によりディスクテーブル７が回転され、該ディスクテーブル７の回転に伴って装着されたディスク状記録媒体が回転される。
【００７５】
駆動モーター２２の回転により第１の送りギヤ２６が回転され、該第１の送りギヤ２６の回転に伴ってスレッドスライダー２０が左右方向へ移動され（図１１参照）光学ピックアップがディスク状記録媒体の半径方向へ移動される。光学ピックアップはディスク状記録媒体の内周側から外周側へ移動され、このとき２軸アクチュエーターの対物レンズを介してディスク状記録媒体にレーザー光が照射され、同時に、記録ヘッド３１からディスク状記録媒体に磁界が印加されて情報信号の記録が行われる。
【００７６】
記録モードにおけるディスク状記録媒体に対する情報信号の記録動作が終了しイジェクト釦が操作されると、イジェク動作が開始される。
【００７７】
イジェクト釦が操作されると、駆動モーター２２がローディング動作のときとは反対方向へ回転され、ローディングスライダー１７が前方へ移動される。このときスピンドルモーター５が図１４に示すＲ２方向へ回転され、回転体８もＲ２方向へ回転される。
【００７８】
駆動モーター２２の回転により第１の送りギヤ２６が回転され、スレッドスライダー２０がディスク状記録媒体の内周側へ向けて移動され移動範囲における左方側の移動端まで移動される。スレッドスライダー２０が移動範囲における左方側の移動端に移動されるときには、押圧突部２０ｂによって切替レバー２１の第２の係合部２１ｃが左方へ押圧され切替レバー２１が図９に示すＳ２方向へ回動され、係合凹部２０ａに第２の係合部２１ｃが係合されると共にローディングスライダー１７の係合凹部１８ａと切替レバー２１の第１の係合部２１ｂとの係合が解除されながら該第１の係合部２１ｂによってローディングスライダー１７の押圧突部１９ｂが前方へ押圧される。
【００７９】
ローディングスライダー１７が第１の係合部２１ｂによって前方へ押圧されると、ローディングスライダー１７のローディング用ラック１８ｂが第２の送りギヤ２７の小径部２７ａと噛合され、スレッド用ラック２０ｃと第１の送りギヤ２６の小径部２６ａとの噛合が解除される。
【００８０】
ローディングスライダー１７は第２の送りギヤ２７の回転によって前方へ移動され、該ローディングスライダー１７の前方への移動によってモード変換レバー１３が前方へ移動されると、押圧ピン１３ａによるヘッドスライダー１４の被作用片１４ａへの押圧が解除されるため、ヘッドスライダー１４は引張コイルバネ１６のバネ力によって前方へ移動され移動範囲における前方側の移動端まで移動される。従って、ヘッド駆動レバー２８のカム係合ピン２８ｄがヘッド用カム孔１５の上側水平部１５ｃから下側水平部１５ａまで相対的に移動され、ヘッド取付アーム３０が回動されて記録ヘッド３１がディスク状記録媒体から離間される。
【００８１】
ローディングスライダー１７の移動に伴いモード変換レバー１３が前方へ移動され、該モード変換レバー１３は、カムピン１３ｂがモード切替用カム孔３の記録用カム部３ｃから待機部３ａまで移動され、被案内ピン１３ｃが案内孔４の直線部４ｂから傾斜部４ａへ向けて移動される。モード変換レバー１３が前方へ移動されカムピン１３ｂが待機部３ａまで移動されると、Ｒ２方向へ回転されている回転体８の操作ピン１１ｂがモード変換レバー１３の被作用部１３ｅに接触される。従って、モード変換レバー１３は被作用部１３ｅが左方へ押し付けられ、カムピン１３ｂが待機部３ａの左端部に係合された状態が保持される。
【００８２】
ローディングスライダー１７はさらに前方へ移動され、該ローディングスライダー１７の移動に伴ってディスク状記録媒体を保持したディスクホルダーが前方へ移動されて再び待機モードが設定され、ディスク状記録媒体がディスク挿脱口から排出される。
【００８３】
一方、上記した再生モードにおけるディスク状記録媒体に対する情報信号の再生動作が終了したときにイジェクト釦が操作されても、イジェク動作が開始される。
【００８４】
イジェクト釦が操作されると、駆動モーター２２がローディング動作のときとは反対方向へ回転され、ローディングスライダー１７が前方へ移動される。このときスピンドルモーター５が図１０に示すＲ２方向へ回転され、回転体８もＲ２方向へ回転される。
【００８５】
駆動モーター２２の回転により第１の送りギヤ２６が回転され、スレッドスライダー２０がディスク状記録媒体の内周側へ向けて移動され移動範囲における左方側の移動端まで移動される。スレッドスライダー２０が移動範囲における左方側の移動端に移動されるときには、押圧突部２０ｂによって切替レバー２１の第２の係合部２１ｃが左方へ押圧され切替レバー２１が図９に示すＳ２方向へ回動され、係合凹部２０ａに第２の係合部２１ｃが係合されると共にローディングスライダー１７の係合凹部１８ａと切替レバー２１の第１の係合部２１ｂとの係合が解除されながら該第１の係合部２１ｂによってローディングスライダー１７の押圧突部１９ｂが前方へ押圧される。
【００８６】
ローディングスライダー１７が第１の係合部２１ｂによって前方へ押圧されると、ローディングスライダー１７のローディング用ラック１８ｂが第２の送りギヤ２７の小径部２７ａと噛合され、スレッド用ラック２０ｃと第１の送りギヤ２６の小径部２６ａとの噛合が解除される。
【００８７】
ローディングスライダー１７は第２の送りギヤ２７の回転によって前方へ移動され、該ローディングスライダー１７の前方への移動によってモード変換レバー１３は、カムピン１３ｂがモード切替用カム孔３の再生用カム部３ｂから待機部３ａまで移動され、被案内ピン１３ｃが案内孔４の直線部４ｂから傾斜部４ａへ向けて移動される。モード変換レバー１３が前方へ移動されカムピン１３ｂが待機部３ａまで移動されると、Ｒ２方向へ回転されている回転体８の操作ピン１１ｂがモード変換レバー１３の被作用部１３ｅに接触される。従って、モード変換レバー１３は被作用部１３ｅが左方へ押圧され、カムピン１３ｂが待機部３ａの左端部まで移動される。
【００８８】
ローディングスライダー１７はさらに前方へ移動され、該ローディングスライダー１７の移動に伴ってディスク状記録媒体を保持したディスクホルダーが前方へ移動されて再び待機モードが設定され、ディスク状記録媒体がディスク挿脱口から排出される。
【００８９】
以上に記載した通り、ディスクドライブ装置１にあっては、ローディングスライダー１７とスレッドスライダー２０の移動を切り替えて１つの駆動モーター２２によってローディング動作及び光学ピックアップの動作を行うようにしている。
【００９０】
従って、ディスクドライブ装置１の部品点数の削減及び製造コストの低減を図ることができる。
【００９１】
また、部品点数の削減により、各部品を配置するための大きなスペースを必要とせず、ディスクドライブ装置１の小型化を図ることができる。
【００９２】
さらに、ディスク状記録媒体に対する再生動作及び記録動作が開始される前の待機モードにおいては、ローディングスライダー１７が移動範囲における前方側の移動端に位置されることによりスレッドスライダー２０がディスク状記録媒体の内周側の移動端に常に位置されるため、光学ピックアップがディスク状記録媒体の内周側に位置されたことを検出するための検出スイッチを必要とせず、その分、部品点数の削減を図ることができると共に当該検出スイッチの検出回路を省略することができる。
【００９３】
加えて、ディスクドライブ装置１にあっては、駆動モーター２２によってヘッドスライダー１４を移動させて記録ヘッド３１の昇降も行っているため、１つの駆動モーター２２でローディング動作、光学ピックアップの移動及び記録ヘッドの昇降が行われ、一層の部品点数の削減及び製造コストの低減を図ることができる。
【００９４】
尚、上記した実施の形態において示した各部の形状及び構造は、何れも本発明の実施に際しての具体化のほんの一例を示したものに過ぎず、これらによって、本発明の技術的範囲が限定的に解釈されることがあってはならないものである。
【００９５】
【発明の効果】
以上に記載したところから明らかなように、本発明ディスクドライブ装置は、ディスク装填位置からディスク装着位置に搬送されたディスク状記録媒体が装着されるディスクテーブルと、該ディスクテーブルに装着されたディスク状記録媒体に対してレーザー光を照射してディスク状記録媒体に記録された情報信号を読み出す光学ピックアップとを備えたディスクドライブ装置であって、ローディング用ラックを有すると共にディスク状記録媒体をディスク装填位置からディスク装着位置へ向けて搬送するためのローディングスライダーと、スレッド用ラックを有すると共に光学ピックアップをディスクテーブルに装着されたディスク状記録媒体の半径方向へ移動するスレッドスライダーと、ローディング用ラック及びスレッド用ラックに選択的に噛合されてローディングスライダー又はスレッドスライダーを移動する駆動ギヤと、一端部に設けられた第１の係合部と他端部に設けられた第２の係合部とを有すると共に第１の係合部がローディングスライダーに係合されることにより回動されて第２の係合部がスレッドスライダーを押圧する切替レバーとを備え、ローディング用ラックに噛合された駆動ギヤの回転により移動されたローディングスライダーが第１の係合部と係合されて切替レバーが所定の方向へ回動され、該切替レバーの回動によりスレッドスライダーが第２の係合部によって押圧されたときにスレッド用ラックに駆動ギヤが噛合されてスレッドスライダーが移動されるようにしたことを特徴とする。
【００９６】
従って、１つのモーターによってローディング動作及び光学ピックアップの動作を行うことができるため、ディスクドライブ装置の部品点数の削減及び製造コストの低減を図ることができる。
【００９７】
また、部品点数の削減により、各部品を配置するための大きなスペースを必要とせず、ディスクドライブ装置の小型化を図ることができる。
【００９８】
さらに、ディスク状記録媒体がローディングされる前の状態において、スレッドスライダーがディスク状記録媒体の常に所定の位置にあるため、光学ピックアップがディスク状記録媒体の内周側に位置されたことを検出するための検出スイッチを必要とせず、その分、部品点数の削減を図ることができると共に当該検出スイッチの検出回路を省略することができる。
【００９９】
更に、請求項１に記載した発明にあっては、モーター軸にディスクテーブルが固定されたスピンドルモーターと、ディスク状記録媒体に情報信号の記録を行う記録ヘッドを有すると共に該記録ヘッドがディスク状記録媒体に離接する方向へ移動されるヘッド取付レバーと、該ヘッド取付レバーを移動するためのヘッド駆動レバーと、ローディングスライダーの移動に伴って第１の経路又は第２の経路を選択的に移動されると共に第１の経路の移動によりヘッド駆動レバーを再生用位置に保持し第２の経路の移動によりヘッド駆動レバーを記録用位置に保持するモード変換レバーと、スピンドルモーターの回転方向に応じた方向へ回転されると共に一方へ回転されたときにモード変換レバーを上記第１の経路側に保持し他方へ回転されたときにモード変換レバーを上記第２の経路側に保持する回転体とを設けたので、１つのモーターでローディング動作及び光学ピックアップの移動の他、記録ヘッドの昇降を行うことができ、一層の部品点数の削減及び製造コストの低減を図ることができる。
【０１００】
更に、請求項１に記載した発明にあっては、回転体にスピンドルモーターの駆動力を伝達する伝達ベルトを、スピンドルモーターのモーター軸と回転体との間に巻回したので、伝達ベルトによってスピンドルモーターのモーター軸に所定のテンションが付与され、モーター軸をガタつくことなく回転させることができる。
【図面の簡単な説明】
【図１】図２乃至図１４と共に本発明の実施の形態を示すものであり、本図はディスクドライブ装置の概略平面図である。
【図２】スピンドルモーターと回転体とを示す拡大側面図である。
【図３】待機モードにおけるモード変換レバー等の状態を示す拡大平面図である。
【図４】モード変換レバーの拡大斜視図である。
【図５】待機モード及び再生モードにおけるヘッド駆動レバー等の状態を示す拡大側面図である。
【図６】待機モードにおける切替レバー等の状態を示す拡大平面図である。
【図７】ローディングスライダーが移動されている状態を示す拡大平面図である。
【図８】モード変換レバーの被作用部が回転体の操作ピンに押圧された状態を示す拡大平面図である。
【図９】回転体が一方向へ回転され、切替レバーによってローディングスライダーの移動からスレッドスライダーの移動へと切り替えられる状態を示す拡大平面図である。
【図１０】再生モードが設定された状態を示す拡大平面図である。
【図１１】スレッドスライダーが移動されている状態を示す拡大平面図である。
【図１２】回転体が図９とは反対の方向へ回転され、モード変換レバーの被作用部が回転体の操作ピンに押圧された状態を示す拡大平面図である。
【図１３】記録モードが設定された状態を示す拡大側面図である。
【図１４】記録モードが設定された状態を示す拡大平面図である。
【符号の説明】
１…ディスクドライブ装置、５…スピンドルモーター、５ａ…モーター軸、７…ディスクテーブル、８…回転体、１２…伝達ベルト、１３…モード変換レバー、１７…ローディングスライダー、１８ｂ…ローディング用ラック、２０…スレッドスライダー、２０ｃ…スレッド用ラック、２１…切替レバー、２１ｂ…第１の係合部、２１ｃ…第２の係合部、２５…駆動ギヤ、２８…ヘッド駆動レバー、３０…ヘッド取付レバー、３１…記録ヘッド
【図１】
0003893962.tif 000002
【図２】
0003893962.tif 000003
【図３】
0003893962.tif 000004
【図４】
0003893962.tif 000005
【図５】
0003893962.tif 000006
【図６】
0003893962.tif 000007
【図７】
0003893962.tif 000008
【図８】
0003893962.tif 000009
【図９】
0003893962.tif 000010
【図１０】
0003893962.tif 000011
【図１１】
0003893962.tif 000012
【図１２】
0003893962.tif 000013
【図１３】
0003893962.tif 000014
【図１４】
0003893962.tif 000015